(57)【要約】【課題】構造が簡単で製造コストのあまりかからない、早回し作業の容易なレンチを提供する。【解決手段】レンチ部１１とこのレンチ部１１に着脱自在に取り付けられる握持柄部１５との組とし、レンチ部１１は、短杆部１２ａと長杆部１２ｂとを略Ｌ字形状に連設してレンチ本体１２を形成し、このレンチ本体１２の長杆部１２ｂの基端部側外周に軸方向に沿って嵌合軸部１３を設けたものとする。そして握持柄部１５は、前記嵌合軸部１３が嵌合可能に穿設された嵌合孔１６と該嵌合孔１６の周縁から外周に渡って孔軸方向奥側に向かい切り欠かれた収容部１７とを有するものとし、レンチ部１１側の嵌合軸部１３を握持部１５側の嵌合孔１６に嵌挿したときに短杆部１２ａが収容部１７内に収容されるようにする。【選択図】図１
2013215828.tif 000002
【特許請求の範囲】
【請求項１】
レンチ部とこのレンチ部に着脱可能に取り付けられる握持柄部との組であって、
レンチ部は、短杆部と長杆部とが略Ｌ字形状に連設されたレンチ本体とこのレンチ本体長杆部の基端部側外周に軸方向に沿って設けられた嵌合軸部とからなり、
握持柄部は、前記嵌合軸部が嵌合可能に穿設された嵌合孔と、該嵌合孔の周縁から握持柄部外周に渡って孔軸方向奥側に向かい切り欠かれた収容部とを有し、
レンチ本体側の嵌合軸部を握持柄部側の嵌合孔に嵌合したときに短杆部が収容部内に収容されることを特徴とするレンチ。
【請求項２】
前記嵌合軸部に、前記長杆部の基端部の位置からさらに後方に向って突出する補助軸部を延設したことを特徴とする請求項１に記載のレンチ。
【請求項３】
前記収容部の周縁に、前記短杆部が収容されたときにこれを保護するための保護カバーを設けたことを特徴とする請求項１または２に記載のレンチ。
【請求項４】
前記握持柄部に前記長杆部の先端部が嵌合可能な本締め用の嵌合孔を穿設したことを特徴とする請求項１ないし３いずれかに記載のレンチ。
【請求項５】
前記握持柄部の軸方向両端面に前記挿入孔と前記収容部とをそれぞれ設けるとともに、前記両端面のいずれにも冠着可能な保護キャップを具備することを特徴とする請求項１ないし４いずれかに記載のレンチ
【発明の詳細な説明】
【技術分野】
【０００１】
本発明は、レンチに関し、さらに詳しくは六角孔付ボルト締結用のレンチに関する。
【背景技術】
【０００２】
この種のレンチとしては、短杆部と長杆部とを略Ｌ字形状を連設したものが既に広く知られている。このレンチは、本締めなど大きな力が必要なときには短杆部をボルトの頭部に設けた六角孔に差し込んでから長杆部を持って回し、あまり大きな力を必要とせずに早回し作業をしたい場合には短杆部に替えて長杆部側を前記の六角孔に差し込み、短杆部のほうを持って回す、といったように用途に応じて二通りの使い方ができるようになっている。
【０００３】
しかしながら、短杆部を持って回す際には半回転ごとに一旦手を離して手首を返さなくてはならず作業性が悪いうえ、径が小さくなるにつれて短杆部寸法も短くなるために早回し作業もし難くなるという問題があった。
【０００４】
そこで、これを解決するものとして、例えば特許文献１や特許文献２に開示される提案がなされている。
【０００５】
このうち特許文献１の提案は、長手方向略中央に短尺部を挿入し得る開口部を設けた筒状基体を短尺部に取り付け、略Ｌ字形状のレンチをＴ字状の形態へと変化させることによって握持部分を長くして早回しを容易にしようとするものである。また、特許文献２の提案は、レンチと、レンチの長尺部が挿通可能な支承筒と、該支承筒が螺入可能なレンチ棒固定筒と、握柄体と、からなるもので、支承筒にレンチを挿通した後にレンチ棒固定筒を螺入してレンチを固定し、前記レンチ棒固定筒の下端に設けた握柄結合部と握柄体の先端頂部に設けたレンチ棒固定結合部とを連結固定することによって握柄体を用いて早回し可能となるようにしたものである。
【先行技術文献】
【特許文献】
【０００６】
【特許文献１】特開２００８−２７２８９１号公報
【特許文献２】特公平６−６２６９号公報
【発明の概要】
【発明が解決しようとする課題】
【０００７】
しかしながら、特許文献１の提案の場合は、握持部が長くなった分だけ持ち易くはなっているものの、従来レンチと同様に半回転ごとに一旦手を離して手首を返さなくてはならないという問題は解決されておらず、特許文献２の提案の場合には、かかる問題は解決されてはいるものの、構造が複雑で製造コストがかかるうえ取り付けが面倒であるという新たな不都合が生じている。
【０００８】
本発明は、かかる従来レンチの問題点を鑑みてなされたもので、その目的は、構造が簡単で製造コストがあまりかからず、容易に取り付けられて早回し作業のし易いレンチを提供することにある。
【課題を解決するための手段】
【０００９】
かかる目的を達成するために本発明のレンチは、レンチ部とこのレンチ部に着脱可能に取り付けられる握持柄部との組であって、
レンチ部は、短杆部と長杆部とが略Ｌ字形状に連設されたレンチ本体とこのレンチ本体長杆部の基端部側外周に軸方向に沿って設けられた嵌合軸部とからなり、
握持柄部は、前記嵌合軸部が嵌合可能に穿設された嵌合孔と、該嵌合孔の周縁から握持柄部外周に渡って孔軸方向奥側に向かい切り欠かれた収容部とを有し、
レンチ本体側の嵌合軸部を握持柄部側の嵌合孔に嵌合したときに短杆部が収容部内に収容されることを特徴とするものである。
【００１０】
こうした構成をとることによって、必要に応じてレンチ部に握持柄部を装着することが可能となり、大きな力を必要としないときには、この握持柄部を取り付けて回すことで早回し作業を容易におこなうことができるようになる。また、レンチ部への握持部の装着は、嵌合軸部を嵌合孔に差し込むだけであるので簡単であり、構造も単純なので製造コストもあまりかからないという利点ももっている。
【００１１】
好ましくは、レンチ本体に設けられた嵌合軸部に、長杆部の基端部の位置からさらに後方に向って突出する補助軸部を延設する。
【００１２】
こうした構成をとることによって、嵌合部分を長くしても収容部の切り欠き長が短くてすみ、握持柄部を持って早回し作業をおこなう際にも収納部内に収納された短杆部が邪魔にならないという利点が生じる。なお、ここでいう基端部とはレンチ本体の長杆部と短杆部との連設部すなわち略Ｌ字形状の屈曲部を指し、後方とはこの基端部を基準として長杆部の先端に向かう方向とは逆の方向のことである
【００１３】
さらに好ましくは、収容部の周縁に、短杆部が収容されたときにこれを保護するための保護カバーを設ける。
【００１４】
こうした構成をとることによって、レンチ部に握持柄部が装着された状態にあるとき、突出する短杆部に不本意に手などがあたってレンチ部が外れる事態を防ぐことができるという利点が生ずる。
【００１５】
また、好ましくは、握持柄部に長杆部の先端部が嵌合可能な本締め用の嵌合孔を穿設する。
【００１６】
こうした構成をとることによって、本締めの際にもレンチ部に握持柄部を装着して作業することができ、作業性がより向上するという利点が生じる。
【００１７】
また、好ましくは、握持柄部の軸方向両端面に挿入孔と収容部とをそれぞれ設けるとともに、両端面いずれにも冠着可能な保護キャップを具備する。
【００１８】
こうした構成をとり、それぞれを違う大きさの嵌合軸部に対応させることによって、一つの握持柄部を複数のレンチ部に使用することができるという利点が生じる。
【発明の効果】
【００１９】
本発明によれば、構造が簡単で製造コストがあまりかからず、容易に取り付けられて早回し作業のし易いレンチを提供することができる。
【図面の簡単な説明】
【００２０】
【図１】本発明にかかるレンチの第１実施形態を示しており、（ａ）はレンチ部に握持柄部を装着する前、（ｂ）は装着した状態の斜視図。
【図２】同、（ａ）はレンチ部に握持柄部を装着する前、（ｂ）は装着した状態の一部断面側面図。
【図３】同、（ａ）はレンチ部の平面図、（ｂ）は（ａ）におけるＡ―Ａ線断面図、（ｃ）は（ｄ）におけるＢ―Ｂ線切断端面図、（ｄ）は握持柄部の側面図、（ｅ）は握持柄部の平面図。
【図４】本発明にかかるレンチの第１実施形態の変形例１を示しており、（ａ）は握持柄部の一部断面側面図、（ｂ）はレンチ部に握持柄部を装着する前、（ｃ）は装着した状態の斜視図。
【図５】本発明にかかるレンチの第１実施形態の変形例２を示しており、（ａ）は握持柄部の一部断面側面図、（ｂ）はレンチ部に握持柄部を装着する前、（ｃ）は装着した状態の斜視図。
【図６】本発明にかかるレンチの第１実施形態の変形例３を示しており、（ａ）はレンチ部に握持柄部を装着する前、（ｂ）は装着した状態の斜視図、（ｃ）は握持柄部の一部断面側面図。
【図７】本発明にかかるレンチの第２実施形態を示しており、（ａ）は複数のレンチ部をセットとした場合の全体斜視図、（ｂ）はその一つのレンチ部に、保護キャップを嵌めた握持柄部を装着した状態の斜視図。
【発明を実施するための形態】
【００２１】
以下、本発明にかかるレンチの実施形態を図に基づき説明するが、これに限定されるものではない。なお、ここでは便宜上、レンチ部の長杆部先端側を前方、基端側を後方として説明している。
【００２２】
≪第１実施形態≫
図１ないし図３は本発明にかかるレンチの第１実施形態を示しており、図１（ａ）はレンチ部に握持柄部を装着する前、（ｂ）は装着した状態の斜視図。図２（ａ）はレンチ部に握持柄部を装着する前、（ｂ）は装着した状態の一部断面側面図。図３（ａ）はレンチ部の平面図、（ｂ）は（ａ）におけるＡ―Ａ線断面図、（ｃ）は（ｄ）におけるＢ―Ｂ線切断端面図、（ｄ）は握持柄部の側面図、（ｅ）は握持柄部の平面図である。
【００２３】
図において、レンチ１０はレンチ部１１と握持柄部１５とからなっており、レンチ部１１は、さらにレンチ本体１２と嵌合軸部１３とで構成されている。
【００２４】
以下、レンチ部１１についてさらに詳しく説明する。
【００２５】
レンチ部１１のうちレンチ本体１２は、断面視六角形状をした金属製の角棒体を略Ｌ字形状に屈曲することによって形成されており、符号１２ａはこれの短杆部、１２ｂは長杆部を示している。さらに該長杆部１２ｂの先端部には球状のボールポイント１２ｃが形成されている。
【００２６】
レンチ部１１のうち嵌合軸部１３は、合成樹脂材からなるもので、前記レンチ本体１２の長杆部１２ｂ基端部側（短杆部１２ａが連設されている側）に軸方向に沿って設けられており、該長杆部１２ｂの外周面を覆った六角柱形状をしている。この嵌合軸部１３の後端部には、短杆部１２ａの位置よりもさらに後方に向かって延出する補助軸部１３ａが一体に設けられている。よって、レンチ本体１２の短杆部１２ａは、補助軸部１３ａを含めた嵌合軸部１３全長の略中央付近から上方に向かって突出した格好となっている。
【００２７】
握持柄部１５は、硬質の合成樹脂材によって形成され、軸方向略中央部が径方向外向きに膨出する略円柱形状をなしており、これの一端面側（ここでは前側）の径方向略中央には前記レンチ部１１の嵌合軸部１３が着脱自在に嵌合可能な略六角形状をした嵌合孔１６が軸方向に沿って穿設されるとともに、該嵌合孔１６の周縁から握持柄部１５の外周縁に渡って収容部１７が奥側に向かって切り欠かれ、嵌合孔１６に嵌合軸部１３が嵌挿されたとき、つれて短杆部１２ａがこの収容部１７内に収容されるようになっている。
【００２８】
かかる構成を有するレンチ１０は、以下のようにして使用する。
【００２９】
まず、大きな力を必要とする、本締め時あるいは緩め作業の開始時の場合。レンチ部１１を単独の状態で持ち、通常のレンチと同様に短杆部１２ａの先端部を六角孔付ボルト（図示せず）の六角孔に差し込んでから長杆部１２ｂを持って回し、締めあるいは緩め作業をおこなう。
【００３０】
次に、大きな力を必要としない、締めあるいは緩め作業の場合。まず、レンチ部１１の短杆部１２ａと握持柄部１５の収容部１７との位置を合わせた後、嵌合軸部１３を補助軸部１３ａが形成されている側から握持柄部１５の嵌合孔１６に差し込んでいく。嵌合軸部１３が嵌合孔１６に嵌め込まれるにつれて短杆部１２ａも収容部１７内に収容されていき、嵌合軸部１３が嵌合孔１６の奥端、短杆部１２ａが収容部１７の奥端、にまでそれぞれ達すると握持柄部１５がレンチ部１１に装着された状態となる。
【００３１】
そして、この状態で握持柄部１５を持ち、長杆部１２ｂの先端部に設けられたボールポイント１２ｃを六角孔付ボルトの六角孔に差し込んでから周方向に回せば、握持柄部１５は充分な径の太さを有しているので、たとえレンチ本体１２が細径であったとしても、それに関わらずに容易に早回し作業をおこなうことができる訳である。
【００３２】
このように本発明では、本締め時あるいは緩め開始時のように大きな力を必要とするときにはレンチ部１１を単独で使用することによって通常のレンチと同様な使い勝手で作業をおこなうことができ、あまり大きな力を必要としないときにはレンチ部１１に握持柄部１５を装着することによって、容易に早回し作業をおこなうことができる。また、単にレンチ部１１側の嵌合軸部１３を握持柄部１５側の嵌合孔１６に嵌め込むだけなので簡単に装着できるうえ、構造自体も単純なので製造コストもあまりかからないという利点もある。
【００３３】
なお、嵌合軸部１３から後方に向かって突設された補助軸部１３ａは必須のものではなく、形成しなくとも良い。しかし、その場合は収容部１７をより奥方向に深く切り欠く必要がある。逆にいえば、補助軸部１３ａが突設されていることによって収容部１７の切り欠き長が浅くともレンチ部１１が確実に装着でき、それによって、握持柄部１５を掴んで早回し作業をするときに突き出た短杆部１２ａが邪魔にならないという利点が生じている訳である。
【００３４】
また、握持柄部１５と嵌合状態にあるときのレンチ部１１を容易に外れないようにしておくために、収容部１７の両側壁にお互いが近づく方向に向かう突起をそれぞれ設け、収容部１７内に収容された状態にある短杆部１２ａの手前の面（切り欠き奥側とは反対の側）に当接させるようにしてもよい。なお、こうした構成をとった場合には、少し力を入れてレンチ部１１を引っ張れば突起の設けられた収容部１７の両側壁が弾性変形し、短杆部１２ａが抜ける方向に拡開するようにしておくことが必要となる。
【００３５】
≪第１実施形態の変形例１≫
図４は第１実施形態の変形例１を示したもので、ここでは握持柄部１５に穿設されている嵌合孔１６の底面中央にさらに長杆部１２ｂの先端部が嵌合可能な本締め用の嵌合孔７１が穿設されている。こうした構造をとることによって、大きな力を必要とする場合でも、図４（ｃ）に示すように握持柄部１５を装着して使用することができ、レンチ部１１のみを単独使用することによって生ずる、使用しない状態にある握持柄部１５の処置、に困ることがなくなるという利点が生じる。
【００３６】
≪第１実施形態の変形例２≫
図５は第１実施形態の変形例２を示したもので、ここでは握持柄部１５の、嵌合孔１６が設けられた端面とは軸方向で反対の側にある端面の径方向略中央に長杆部１２ｂの先端部が嵌合可能な本締め用の嵌合孔８１が穿設されている。こうした構造をとることによって変形例１と同様の利点を有するとともに、嵌合軸部１３の差し込みも容易になるという利点が生じる。
【００３７】
なお、図４、図５ともに本締め用の嵌合孔７１・８１を握持柄部１５の径方向略中央に穿設されたものとしているが、本締めの場合は六角孔に差し込んだ短杆部１２ａを中心として長杆部１２ｂを円弧状に回動させるため、中央からずれた位置に穿設されたものであっても特に問題はない。
【００３８】
≪第１実施形態の変形例３≫
図６は第１実施形態の変形例３を示したもので、ここでの収容部１７は、その後部（切り欠きの奥側）周縁に保護カバー部９１が形成されたものとなっている。詳しくは、この保護カバー部９１は、収容部１７の後部周縁から立設された周壁９１ａと、該周壁９１ａの上端縁に連設された天壁９１ｂとで構成されており、こうした構成をとることによって、レンチ部１１に握持柄部１５を装着した状態にあるとき、該握持柄部１５の外周面から径方向外側に向かって突出するかたちになっている短杆部１２ａに、作業者の手などが当たって不本意にレンチ部１１が外れるといった不都合を防ぐことができるという利点が生じる。
【００３９】
なお、この保護カバー９１は、天壁９１ｂを設けずに周壁９１ａのみであってもよく、要は手などがぶつかった時に短杆部１２ａが外れることがない程度に周囲をカバーしていればよい。また、逆に収容部１７全体をアーチ状に覆うように形成されたものであってもよい。また、握持柄部１５と一体に形成されたものに限定されるわけではなく、例えば他の材質を用いて別体として形成し、これを握持柄部１５に取り付けたものであってもよい。
【００４０】
≪第２実施形態≫
図７は本願発明にかかるレンチの第２実施形態を示しており、（ａ）は複数のレンチ部をセットとした場合の全体斜視図、（ｂ）はその一つのレンチ部に、握持柄部を装着した状態の斜視図である。
【００４１】
図において、レンチ２０はレンチ部２１と握持柄部２５とからなっており、レンチ部２１は、さらにレンチ本体１２と嵌合軸部２３とで構成されている。なお、この第２実施形態の基本的な構成は第１実施形態と略同じであるので、煩雑さを避けるために同一箇所には同一符号を付して説明を省略し、異なる箇所のみ説明をおこなう。
【００４２】
嵌合軸部２３および補助軸部２３ａは、ここでは断面視四角形状をなし、さらに嵌合軸部２３の上壁からは、突出する短杆部１２ａの下部全周を覆う断面視四角形状の周壁２３ｂが立設している。
【００４３】
このように嵌合軸部の断面視形状は六角形状に限るものではなく、四角形状やあるいは他の多角形状であってもよく、さらには円形状のものであってもよい。ただし、円形状の場合は嵌合軸部自身には回り止めとしての役割はなくなるために、収容部周縁と短杆部との当接部分が回り止めとしての役割を果たすこととなる。したがって該当部分の強度を、回動時に加わる力に耐えうる程度まで高くしておく必要が生じる。また、嵌合軸部が多角形状であった場合には収容部と短杆部とは嵌合している必要はなく、単に短杆部が収容されていればよいのでその間に間隙が設けられていたとしても何ら問題はないが、嵌合軸部および補助軸部が円形状の場合には握持柄部を回動させるときにガタつきが生じないようにするため隙間なく密接して嵌合するようにおく必要がある。
【００４４】
なお、嵌合軸部と補助軸部は同じ大きさである必要はなく、補助軸部の幅長、高さ長を一回り小さくしたものであってもよい。また、これらは合成樹脂製のものに限定されるものではなく、例えば金属筒体状のものとして長杆部に環装し、カシメ、溶接など既知の固定手段で固着したものであってもよい。さらに、これら嵌合軸部と補助軸部とは、一体に形成されたものに限らず、例えば補助軸部を別体として回動自在に嵌合軸部に取り付け、本締め作業の際には、この補助軸部を六角孔に差し込んだ短杆部とは逆方向に折り曲げて回動作業の邪魔にならないようにできるものであってもよい。
【００４５】
つぎに、第１実施形態と異なる特徴として、本第２実施形態では握持柄部２５の前端面側に設けている嵌合孔２６および収容部２７に加えて、後端面側にも同様の構成をもち設定寸法の異なる嵌合孔２６ａおよび収容部２７ａを設けており、これによって本第２実施形態では、二種類の寸法の嵌合軸部２３に対応することができるようになっている。
【００４６】
図８（ａ）は、これを具体例として示すもので、ここでは複数の小さく径の異なるレンチ本体１２（例えば１．５ミリ、２ミリ、２．５ミリ）に同一の外形寸法を有する嵌合軸部２３を設けて第１グループとし、これに前端面側に設けた嵌合孔２６および収容部２７を対応させ、同様に径の近いレンチ本体１２（例えば３ミリと４ミリ）を第２グループとしてまとめて、これを後端面側に設けた嵌合孔２６ａおよび収容部２７ａに対応させることによって、１本の握持柄部がより広い範囲のレンチ径に対応できるようにしている。
【００４７】
なお、符号２８は握持柄部２５の軸方向両端部いずれにも冠着可能に形成された保護キャップであり、図８（ｂ）に示すように使用しない側の端部に取り付けておくことによって、握持柄部２５を握り込んだときに収容部（２７・２７ａいずれかの使用しない側）のエッジなどが掌へ当たることによる不快感を防ぐ役割を果すものである。
【符号の説明】
【００４８】
１０、２０              レンチ
１１、２１              レンチ部
１２                    レンチ本体  
１２ａ                  長杆部
１２ｂ                  短杆部
１２ｃ                  ボールポイント
１３、２３              嵌合軸部
１３ａ、２３ａ          補助軸部
１５、２５              握持柄部
１６、２６、２６ａ      嵌合孔
１７、２７、２７ａ      収容部
【図１】
2013215828.tif 000003
【図２】
2013215828.tif 000004
【図３】
2013215828.tif 000005
【図４】
2013215828.tif 000006
【図５】
2013215828.tif 000007
【図６】
2013215828.tif 000008
【図７】
2013215828.tif 000009
【手続補正書】
【提出日】平成24年5月29日(2012.5.29)
【手続補正１】
【補正対象書類名】特許請求の範囲
【補正対象項目名】請求項１
【補正方法】変更
【補正の内容】
【請求項１】
レンチ部とこのレンチ部に着脱可能に取り付けられる握持柄部との組であって、
レンチ部は、短杆部と長杆部とが略Ｌ字形状に連設されたレンチ本体とこのレンチ本体長杆部の基端部側外周を覆い軸方向に沿って固設された嵌合軸部とからなり、
握持柄部は、前記嵌合軸部が嵌合可能に穿設された嵌合孔と、該嵌合孔の周縁から握持柄部外周に渡って孔軸方向奥側に向かい切り欠かれた収容部とを有し、
レンチ本体側の嵌合軸部を握持柄部側の嵌合孔に嵌合したときに短杆部が収容部内に収容されることを特徴とするレンチ。
【手続補正２】
【補正対象書類名】明細書
【補正対象項目名】０００９
【補正方法】変更
【補正の内容】
【０００９】
かかる目的を達成するために本発明のレンチは、レンチ部とこのレンチ部に着脱可能に取り付けられる握持柄部との組であって、
レンチ部は、短杆部と長杆部とが略Ｌ字形状に連設されたレンチ本体とこのレンチ本体長杆部の基端部側外周を覆い軸方向に沿って固設された嵌合軸部とからなり、
握持柄部は、前記嵌合軸部が嵌合可能に穿設された嵌合孔と、該嵌合孔の周縁から握持柄部外周に渡って孔軸方向奥側に向かい切り欠かれた収容部とを有し、
レンチ本体側の嵌合軸部を握持柄部側の嵌合孔に嵌合したときに短杆部が収容部内に収容されることを特徴とするものである。